(57)【要約】【課題】本発明はセダム類を定着させた抗火石の石板に関し、特に管理が簡単で、コスト削減を図ることができる屋上緑化、壁面緑化、のり面緑化に適した抗火石緑化資材を提供するものである。【解決手段】抗火石の板１には所定間隔に孔２が形成され、孔２にはセダム類が植えられる。このように構成することにより、屋上緑化等を行うことができる。また、抗火石の板１には予め生分解材料や炭粉、廃材粉、肥料等が含侵され、このような抗火石の板１を使用することによって、セダム類の成長を早め、炭粉や廃材粉の含侵によって雨水等の浄化を行うことができる。【選択図】　　　図１
2004121182.tif 000002
【特許請求の範囲】
【請求項１】
抗火石の板と、該抗火石の板に設けられた孔と、該孔に嵌入された苗とで構成されることを特徴とする抗火石緑化資材。
【請求項２】
前記苗はセダム類の苗であり、該苗を前記孔に嵌入し、根を張らせたことを特徴とする請求項１記載の抗火石緑化資材。
【請求項３】
前記抗火石の板には、少なくとも生分解材料と炭粉が含侵されていることを特徴とする請求項１、又は２記載の抗火石緑化資材。
【発明の詳細な説明】
【０００１】
【発明の属する技術分野】
本発明は、セダム類を定着させた抗火石の石板に関し、特に屋上緑化、壁面緑化、のり面緑化に適した抗火石緑化資材に関する。
【０００２】
【従来の技術】
今日、地球温暖化の見地から都市部の屋上や外壁、壁面の緑化推進が急務となっている。また、環境改善の見地から、例えば高速道路や河川堤防ののり面の整備が必要となっている。
【０００３】
従来、緑化推進や環境改善には、土或いは人工培土に植物を植え、定着させている。この為、例えば雑草の種が飛散し、意図した植物以外の植物が生えやすい。
【０００４】
また、土を使用しない人工培土にセダム類を定着させた従来技術も存在するが、セダム類の定着に長期間を要する。
【０００５】
【発明が解決しようとする課題】
上記のように、従来の緑化推進、環境改善方法では、雑草の除去等が必要になり、緑化施工後の管理が煩雑になる。また、セダム類の定着に長期間を要する為、管理費等のコストがアップする。
【０００６】
そこで、本発明は管理が簡単で、コスト削減を図ることができる屋上緑化、壁面緑化、のり面緑化に適した抗火石緑化資材を提供するものである。
【０００７】
【課題を解決するための手段】
上記課題を解決するため請求項１記載の発明は、抗火石の板と、該抗火石の板に設けられた孔と、該孔に嵌入された苗とで構成される抗火石緑化資材を提供することによって達成できる。
【０００８】
ここで、上記孔はセダム類が風で飛ばされないよう保定できる口径と深さが必要である。また、孔は貫通させると隙間に雑草の種が芽を出す恐れがある為、貫通させない構成とする。
【０００９】
このように構成することにより、管理が簡単であり、コスト削減を図ることができる抗火石緑化資材を提供することができる。
請求項２の記載は上記請求項１記載の発明において、前記苗は例えばセダム類の苗であり、該苗を前記開口に嵌入し、根を張らせた構成である。
【００１０】
このように構成することにより、環境に強いセダム類の苗を使用することによって、容易かつ低コストで屋上緑化、壁面緑化、のり面緑化を実現することができる。
【００１１】
請求項３の記載は、上記請求項１又は２の記載において、前記抗火石の板には、例えば生分解材料、炭粉、廃材粉、肥料が含侵されている。
このように構成することにより、生分解材料の含侵によってバクテリアの繁殖を促進し、セダム類の成長を早めることができる。また、炭粉や廃材粉の含侵によって雨水や酸性雨の浄化を行うことができる。
【００１２】
【発明の実施の形態】
以下、本発明の実施の形態を図面を参照しながら説明する。
図１は、本実施形態の抗火石緑化資材の外観図であり、抗火石の板１に一定間隔で孔２が設けられた構成である。抗火石の板１の大きさは、例えば３００ｍｍ×１５０ｍｍであり、厚さ２５ｍｍで構成されている。また、抗火石の板１に形成される孔２は、例えば１８個程度である。
【００１３】
抗火石の板１の主成分は珪酸（ＳｉＯ）であり、耐酸性、耐火性、耐熱性に優れ、加工も容易である。尚、同図に示す３ａ、３ｂは複数の抗火石の板１を並べて配設する際に雑草等の生育を遮断する為の構成である。
【００１４】
同図（ｂ）は上記構成の抗火石の板１を、例えば屋上に施設した例である。屋上３に防根シート４を施設し、この防根シート４の上に土５を入れ、土５の上に抗火石の板１を並べる。そして、上記孔２にはセダム類の苗が植えられる。同図（ｃ）はこの状態を示す図であり、図２はこの状態を上方から視た図である。
【００１５】
ここで、抗火石の板１には予め生分解材料や炭粉、廃材、肥料等が含侵されている。例えば、生分解材料は生分解プラスチックを溶融したものであり、例えばこの中に炭等を紛状にした粉炭、廃材を紛状にした廃材粉、及び肥料を溶かし込み、上記抗火石の板１に含侵する。
【００１６】
図３はこの含侵処理を説明する図である。先ず、同図（ａ）に示すように、孔が加工された抗火石の板１を用意し、同図（ｂ）に示す溶融状態の炭粉、廃材、肥料等が含まれる生分解材料の容器６の中に入れる。ここで、例えば溶融状態の生分解材料の温度は１８０度程度である。
【００１７】
その後、所定時間抗火石の板１を容器６の中に保持することによって、溶融溶液の中の生分解材料や炭粉、廃材、肥料は、同図（ｃ）に示すように抗火石の板１に形成された細孔に含侵する。したがって、抗火石の板１の内部には上記成分が充分含侵され、その含侵量も上記溶液の温度や濃度を調整することによって自由に変えることができる。すなわち、緑化場所やのり面の設置場所等によって上記成分の含侵量を調整することができる。
【００１８】
上記のようにして生成された抗火石の板１は、前述の図１（ｂ）、（ｃ）に示すように設置され、抗火石の板１に含侵された生分解材料はセダム類の成長を早め、炭粉や廃材粉は雨水等の浄化を行う。
【００１９】
尚、上記実施形態の説明では抗火石の板１の形状を特定したが、本発明は必ずしも上記形状に限定されるものではない。また、抗火石の板１に含侵する材料も生分解材料、炭粉、廃材粉、肥料に限るものではない。
【００２０】
【発明の効果】
以上説明したように、本発明によれば、セダム類の発根環境が良好な抗火石を使用し、この抗火石に孔を開けてセダム類を定着させたものであり、この抗火石の緑化資材を土或いは人工培土の上に置くことによって土或いは人工培土が抗火石により空気中と遮断され、土に雑草の種を運ばなくなる。
【００２１】
また、抗火石の表面は乾燥し易い為、雑草の種が抗火石の表面に飛来しても発芽し難く簡単に定着しない。しかし、セダム類は乾燥に強く、既に根が抗火石に定着している為、枯れることが殆どなく、根が抗火石の下土或いは人工培土に達すれば、セダム類に良い生育環境を与えることになる。
【００２２】
さらに、抗火石に孔を開けてセダム類を嵌入し、セダム類を定着させる方法は、抗火石が多孔質で乾き易いことから水を充分与えることによりセダム類の発根、根の伸長に好環境を与え、セダム類の抗火石への定着が短期間で完成する。
【図面の簡単な説明】
【図１】本実施形態の抗火石緑化資材の外観図であり、（ａ）は抗火石の板の構成を説明する図であり、（ｂ）は上記構成の抗火石の板を、例えば屋上に施設した例であり、（ｃ）は孔にセダム類を植えた状態を示す図である。
【図２】セダム類を植えた状態を上方から視た図である。
【図３】予め抗火石の板に各成分を含侵させる処理を説明する図であり、（ａ）〜（ｃ）はその工程を説明する図である。
【符号の説明】
１　抗火石の板
２　孔
３ａ、３ｂ　生育を遮断する構成
４　防根シート
５　土
６　容器
【図１】
2004121182.tif 000003
【図２】
2004121182.tif 000004
【図３】
2004121182.tif 000005